(57)【要約】  【課題】  従来ネットワーク上での著作権者の望まない形態でのコンテンツの流通など、コンテンツの不正な流通を防ぐことはできなかった。このような不正な流通を防ぐためには、配信段階での端末の配信対象としての正当性の有無を判断する必要がある、という課題がある。あるいは配信された端末の、コンテンツ再生の正当性の有無を判断する必要がある、という課題がある。  【解決手段】  課題解決のため、本発明は、要求情報の伝送履歴に応じて要求情報の示す電子的要求を処理する第一伝送履歴依存処理装置を提供する。あるいは、コンテンツなどの対象情報の伝送履歴に応じて対象情報に対して可能な処理を行う第二伝送履歴依存処理装置を提供する。これにより伝送経路に基づいて管理することができ、コンテンツの著作権の保護を実効あらしめることが可能となる。  【選択図】  図２
2006039791.tif 000002
【特許請求の範囲】
【請求項１】
電子的要求を示す情報である要求情報と、前記要求情報と関連付けたその要求情報の伝送履歴を示す第一伝送履歴情報を受信する第一受信部と、
前記第一伝送履歴情報を取得する第一伝送履歴情報取得部と、
伝送履歴に応じた要求情報の処理を規定する第一処理手順情報を保持する第一処理手順情報保持部と、
第一処理手順情報保持部に保持された第一処理手順情報にしたがって要求情報を処理する第一処理部と、
を有する第一伝送履歴依存処理装置。
【請求項２】
前記第一伝送履歴情報には、要求情報が第一受信部に受信されるに至るまでに通過した通過ポイントを示す情報である通過ポイント情報を含む請求項１に記載の第一伝送履歴依存処理装置。
【請求項３】
前記第一伝送履歴情報には、要求情報が第一受信部に受信されるに至るまでに利用された伝送媒体の種類を示す情報である伝送媒体種情報を含む請求項１又は２に記載の第一伝送履歴依存処理装置。
【請求項４】
前記第一処理手順情報は、要求情報に示される電子的要求を実行するか実行しないかを第一伝送履歴情報に基づいて規定し、
前記第一伝送履歴情報の中で電子的要求を実行すると規定されるものは前記通過ポイントのすべてを要求情報が通過したことである請求項２に記載の第一伝送履歴依存処理装置。
【請求項５】
前記第一処理手順情報は、要求情報に示される電子的要求を実行するか実行しないかを第一伝送履歴情報に基づいて規定し、
前記第一伝送履歴情報の中で電子的要求を実行すると規定されるものは前記通過ポイントのいずれか一以上を要求情報が通過したことである請求項２に記載の第一伝送履歴依存処理装置。
【請求項６】
前記要求情報は、対象情報の配信要求を示す配信要求情報を含む請求項１から５のいずれか一に記載の第一伝送履歴依存処理装置。
【請求項７】
前記要求情報は、対象情報の再生を再生装置においてすることの要求を示す再生要求情報を含む請求項１から５のいずれか一に記載の第一伝送履歴依存処理装置。
【請求項８】
処理の対象となる情報である対象情報と、前記対象情報と関連付けたその対象情報の伝送履歴を示す情報である第二伝送履歴情報を受信する第二受信部と、
前記第二伝送履歴情報を取得する第二伝送履歴情報取得部と、
伝送履歴に応じた対象情報の処理を規定する第二処理手順情報を保持する第二処理手順情報保持部と、
第二処理手順情報保持部に保持された第二処理手順情報にしたがって対象情報を処理する第二処理部と、
を有する第二伝送履歴依存処理装置。
【請求項９】
前記第二伝送履歴情報には、対象情報が第二受信部に受信されるに至るまでに通過した通過ポイントを示す情報である通過ポイント情報を含む請求項８に記載の第二伝送履歴依存処理装置。
【請求項１０】
前記第二伝送履歴情報には、対象情報が第二受信部に受信されるに至るまでに利用された伝送媒体の種類を示す情報である伝送媒体種情報を含む請求項８又は９に記載の第二伝送履歴依存処理装置。
【請求項１１】
前記第二処理手順情報は、対象情報に対して可能な処理を実行するか実行しないかを第二伝送履歴情報に基づいて規定し、
前記第二伝送履歴情報の中で対象情報に対して可能な処理を実行すると規定されるものは前記通過ポイントのすべてを対象情報が通過したことである請求項９に記載の第二伝送履歴依存処理装置。
【請求項１２】
前記第二処理手順情報は、対象情報に対して可能な処理を実行するか実行しないかを第二伝送履歴情報に基づいて規定し、
前記第二伝送履歴情報の中で対象情報に対して可能な処理を実行すると規定されるものは前記通過ポイントのいずれか一以上を対象情報が通過したことである請求項９に記載の第二伝送履歴依存処理装置。
【請求項１３】
電子的要求を示す情報である要求情報と、前記要求情報と関連付けたその要求情報の伝送履歴を示す第一伝送履歴情報、及び、処理の対象となる情報である対象情報と、前記対象情報と関連付けたその対象情報の伝送履歴を示す情報である第二伝送履歴情報を受信する第三受信部と、
前記第一伝送履歴情報及び第二伝送履歴情報を取得する第三伝送履歴情報取得部と、
伝送履歴に応じた要求情報の処理を規定する第一処理手順情報、及び、伝送履歴に応じた対象情報の処理を規定する第二処理手順情報を保持する第三処理手順情報保持部と、
第三処理手順情報保持部に保持された第一処理手順情報及び第二処理手順情報にしたがって、要求情報及び対象情報を処理する第三処理部と、
を有する第三伝送履歴依存処理装置。
【請求項１４】
前記第一伝送履歴情報および第二伝送履歴情報には、要求情報及び対象情報が第三受信部に受信されるに至るまでに通過した通過ポイントを示す情報である通過ポイント情報を含む請求項１３に記載の第三伝送履歴依存処理装置。
【請求項１５】
前記第一伝送履歴情報および第二伝送履歴情報には、要求情報及び対象情報が第三受信部に受信されるに至るまでに利用された伝送媒体の種類を示す情報である伝送媒体種情報を含む請求項１３又は１４に記載の第三伝送履歴依存処理装置。
【請求項１６】
前記第一処理手順情報および第二処理手順情報は、要求情報に示される電子的要求、及び、対象情報に対して可能な処理、を実行するか実行しないかを第一伝送履歴情報および第二伝送履歴情報に基づいて規定し、
前記第一伝送履歴情報および第二伝送履歴情報の中で電子的要求及び対象情報に対して可能な処理を実行すると規定されるものは前記通過ポイントのすべてを要求情報及び対象情報が通過したことである請求項１４に記載の第三伝送履歴依存処理装置。
【請求項１７】
前記第一処理手順情報はおよび第二処理手順情報、要求情報に示される電子的要求、及び、対象情報に対して可能な処理、を実行するか実行しないかを第一伝送履歴情報および第二伝送履歴情報に基づいて規定し、
前記第一伝送履歴情報および第二伝送履歴情報の中で電子的要求及び対象情報に対して可能な処理を実行すると規定されるものは前記通過ポイントのいずれか一以上を要求情報及び対象情報が通過したことである請求項１４に記載の第三伝送履歴依存処理装置。
【請求項１８】
前記要求情報は、対象情報の配信要求を示す配信要求情報を含む請求項１３から１７のいずれか一に記載の第三伝送履歴依存処理装置。
【請求項１９】
前記要求情報は、対象情報の再生を再生装置においてすることの要求を示す再生要求情報を含む請求項１３から１７のいずれか一に記載の第三伝送履歴依存処理装置。
【請求項２０】
電子的要求を示す情報である要求情報と、前記要求情報と関連付けたその要求情報の伝送履歴を示す第一伝送履歴情報、及び、前記要求情報に基づいて発生する処理の対象となる情報である対象情報と、前記対象情報と関連付けたその対象情報の伝送履歴を示す情報である第二伝送履歴情報を受信する第三受信部と、
前記第一伝送履歴情報及び第二伝送履歴情報を取得する第三伝送履歴情報取得部と、
前記第一伝送履歴情報及び前記第二伝送履歴情報に応じた要求情報又は／及び対象情報の処理を規定する第三処理手順情報を保持する第三処理手順情報保持部と、
第三処理手順情報保持部に保持された第三処理手順情報にしたがって、要求情報及又は／及び対象情報を処理する第三処理部と、
を有する第三伝送履歴依存処理装置。
【請求項２１】
電子的要求を示す情報である要求情報と関連付けたその要求情報の伝送履歴を示す第一伝送履歴情報、及び、前記要求情報に基づいて発生する処理の対象となる情報である対象情報と、前記対象情報と関連付けたその対象情報の伝送履歴を示す情報である第二伝送履歴情報を受信する第四受信部と、
前記第一伝送履歴情報及び第二伝送履歴情報を取得する第四伝送履歴情報取得部と、
前記第一伝送履歴情報及び前記第二伝送履歴情報に応じた対象情報の処理を規定する第四処理手順情報を保持する第四処理手順情報保持部と、
第四処理手順情報保持部に保持された第四処理手順情報にしたがって、対象情報を処理する第四三処理部と、
を有する第四伝送履歴依存処理装置。
【請求項２２】
電子的要求を示す情報である要求情報と、前記要求情報と関連付けたその要求情報の伝送履歴を示す第一伝送履歴情報を受信する第一受信ステップと、
前記第一伝送履歴情報を取得する第一伝送履歴情報取得ステップと、
予め保持された伝送履歴に応じた要求情報の処理を規定する第一処理手順情報にしたがって要求情報を処理する第一処理ステップと、
を有する第一伝送履歴依存処理方法。
【請求項２３】
電子的要求を示す情報である要求情報と、前記要求情報と関連付けたその要求情報の伝送履歴を示す第一伝送履歴情報を受信する第一受信ステップと、
前記第一伝送履歴情報を取得する第一伝送履歴情報取得ステップと、
通過ポイントのすべてを要求情報が通過したか否かの判断を行う第一判断ステップと、
前記第一判断ステップにて、すべてを通過したと判断された場合、要求情報に示される電子的要求を実行する第一電子的要求処理ステップと、
からなる第一伝送履歴依存処理方法。
【請求項２４】
電子的要求を示す情報である要求情報と、前記要求情報と関連付けたその要求情報の伝送履歴を示す第一伝送履歴情報を受信する第一受信ステップと、
前記第一伝送履歴情報を取得する第一伝送履歴情報取得ステップと、
通過ポイントのいずれか一以上を要求情報が通過したか否かの判断を行う第一判断ステップと、
前記第一判断ステップにて、いずれか一以上を通過したと判断された場合、要求情報に示される電子的要求を実行する第一電子的要求処理ステップと、
からなる第一伝送履歴依存処理方法。
【請求項２５】
処理の対象となる情報である対象情報と、前記対象情報と関連付けたその対象情報の伝送履歴を示す情報である第二伝送履歴情報を受信する第二受信ステップと、
前記第二伝送履歴情報を取得する第二伝送履歴情報取得ステップと、
予め保持された伝送履歴に応じた対象情報の処理を規定する第二処理手順情報にしたがって対象情報を処理する第二処理ステップと、
を有する第二伝送履歴依存処理方法。
【請求項２６】
処理の対象となる情報である対象情報と、前記対象情報と関連付けたその対象情報の伝送履歴を示す情報である第二伝送履歴情報を受信する第二受信ステップと、
前記第二伝送履歴情報を取得する第二伝送履歴情報取得ステップと、
通過ポイントのすべてを対象情報が通過したか否かの判断を行う第二判断ステップと、
前記第二判断ステップにて、すべてを通過したと判断された場合、対象情報に対して可能な処理を実行する第二処理実行ステップと、
からなる第二伝送履歴依存処理方法。
【請求項２７】
処理の対象となる情報である対象情報と、前記対象情報と関連付けたその対象情報の伝送履歴を示す情報である第二伝送履歴情報を受信する第二受信ステップと、
前記第二伝送履歴情報を取得する第二伝送履歴情報取得ステップと、
通過ポイントのいずれか一以上を対象情報が通過したか否かの判断を行う第二判断ステップと、
前記第二判断ステップにて、いずれか一以上を通過したと判断された場合、対象情報に対して可能な処理を実行する第二処理実行ステップと、
からなる第二伝送履歴依存処理方法。
【請求項２８】
電子的要求を示す情報である要求情報と、前記要求情報と関連付けたその要求情報の伝送履歴を示す第一伝送履歴情報、及び、処理の対象となる情報である対象情報と、前記対象情報と関連付けたその対象情報の伝送履歴を示す情報である第二伝送履歴情報を受信する第三受信ステップと、
前記第一伝送履歴情報及び第二伝送履歴情報を取得する第三伝送履歴情報取得ステップと、
予め保持された伝送履歴に応じた要求情報の処理を規定する第一処理手順情報、及び第二処理手順情報にしたがって、伝送履歴に応じた対象情報の処理を規定する要求情報及び対象情報を処理する第三処理ステップと、
を有する第三伝送履歴依存処理方法。
【請求項２９】
電子的要求を示す情報である要求情報と、前記要求情報と関連付けたその要求情報の伝送履歴を示す第一伝送履歴情報、及び、処理の対象となる情報である対象情報と、前記対象情報と関連付けたその対象情報の伝送履歴を示す情報である第二伝送履歴情報を受信する第三受信ステップと、
前記第一伝送履歴情報及び第二伝送履歴情報を取得する第三伝送履歴情報取得ステップと、
通過ポイントのすべてを要求情報および対象情報が通過したか否かの判断を行う第三判断ステップと、
前記第三判断ステップにて、すべてを通過したと判断された場合、要求情報の示す電子的要求および対象情報に対して可能な処理を実行する第三要求処理実行ステップと、
からなる第三伝送履歴依存処理方法。
【請求項３０】
電子的要求を示す情報である要求情報と、前記要求情報と関連付けたその要求情報の伝送履歴を示す第一伝送履歴情報、及び、処理の対象となる情報である対象情報と、前記対象情報と関連付けたその対象情報の伝送履歴を示す情報である第二伝送履歴情報を受信する第三受信ステップと、
前記第一伝送履歴情報及び第二伝送履歴情報を取得する第三伝送履歴情報取得ステップと、
通過ポイントのいずれか一以上を要求情報および対象情報が通過したか否かの判断を行う第三判断ステップと、
前記第三判断ステップにて、いずれか一以上を通過したと判断された場合、要求情報の示す電子的要求および対象情報に対して可能な処理を実行する第三要求処理実行ステップと、
からなる第三伝送履歴依存処理方法。
【発明の詳細な説明】
【技術分野】
【０００１】
本発明は、電子的な要求の伝送経路や、伝送経路を含む伝送履歴、または対象情報の伝送経路や、伝送経路を含む伝送履歴に関する情報に応じて、該電子的な要求、または対象情報を処理する技術に関する。
【背景技術】
【０００２】
インターネット等を介した音楽や映像などのコンテンツの配信システムにおける当該コンテンツの著作権の保護を図るため、不正に配信されたコンテンツをユーザが閲覧できないようにするなどの必要がある。かかる著作権保護を目的としたコンテンツを含むデータの配信システムとして、特許文献１で以下の技術が開示されている。特許文献１のシステムは、例えば、ホストサーバ装置がデジタルデータに当該データの配信履歴情報を付加して端末装置に送信する。そして端末装置間で当該データが複製されて再配信される毎に、この配信履歴情報が更新される。ホストサーバ装置は当該更新された配信履歴情報に基づいて、課金処理など当該のデータの管理等を行うシステムである。
【特許文献１】特開２００２−３４１８８１号公報
【発明の開示】
【発明が解決しようとする課題】
【０００３】
しかし上記システムによる著作権保護は、配信履歴情報に基づく課金処理等の事後的なものにすぎず、著作権者の望まない形態でのコンテンツの流通など、コンテンツの不正な流通を防ぐことはできなかった。このような不正な流通を防ぐためには、配信段階での端末の配信対象としての正当性の有無を判断する必要がある、という課題がある。あるいは配信された端末の、コンテンツ再生の正当性の有無を判断する必要がある、という課題がある。
【課題を解決するための手段】
【０００４】
以上の課題を解決するために、本発明は、コンテンツの配信要求などがどのような伝送経路で受信されたのか、つまり要求情報の伝送経路を追跡し管理するシステムを提供する。これにより、例えば、著作権者の規定する課金サーバを通過しないで受信されたコンテンツ配信要求は拒否する、など配信段階での端末の配信対象としての正当性の有無を判断することができる。
【０００５】
また、派生的に、伝送履歴などに応じて各種の電子的処理の適正化を図ることが可能となる。伝送履歴とは伝送の際の履歴であり、伝送経路以外に例えば伝送の所要時間などが挙げられる。例えばこの所要時間が伝送路の混雑時以上にかかりすぎている電子的処理の要求は、送信途中に何者かに改竄された可能性があるとして処理を拒否するなどでも良い。
【０００６】
具体的には、本発明は、要求情報とその要求情報の第一伝送履歴情報を受信する第一受信部と、前記第一伝送履歴情報を取得する第一伝送履歴情報取得部と、伝送履歴に応じた要求情報の処理を規定する第一処理手順情報を保持する第一処理手順情報保持部と、第一処理手順情報にしたがって要求情報を処理する第一処理部と、を有する第一の伝送履歴依存処理装置を提供する。
【０００７】
あるいは、コンテンツがどのような伝送経路で配信されたのか、つまりコンテンツの伝送経路を追跡し管理するシステムを提供する。これにより、例えば、著作権者のコンテンツサーバに付随する管理サーバを通過しないでダウンロードされたコンテンツ（不正な個人運営サイトなどからダウンロードされたコンテンツ）は再生不可能とする、など配信された端末の、コンテンツ再生の正当性の有無を判断することができる。
【０００８】
具体的には、本発明は、対象情報とその対象情報の第二伝送履歴情報を受信する第二受信部と、前記第二伝送履歴情報を取得する第二伝送履歴情報取得部と、伝送履歴に応じた対象情報の処理を規定する第二処理手順情報を保持する第二処理手順情報保持部と、第二処理手順情報にしたがって対象情報を処理する第二処理部と、を有する第二の伝送履歴依存処理装置を提供する。
【０００９】
また、この第一伝送履歴依存処理装置及び第二伝送履歴依存処理装置の双方の機能を備え、要求情報と対象情報の伝送経路を追跡し管理する第三伝送履歴依存処理装置も提供する。
【発明の効果】
【００１０】
以上のような構成をとる本発明によって、ネットワーク上のコンテンツの著作権を、従来のように認証サーバなどを利用しなくとも、あるいは利用する場合でもその認証結果のみには依存することなく、コンテンツの配信要求情報の伝送履歴やコンテンツ自体の配信の伝送履歴に基づいて管理することが可能になり、コンテンツの著作権の保護を実効あらしめることが可能となる。
【００１１】
また本発明による伝送経路を管理するシステムを利用して、伝送経路に応じたライセンス料を徴収するといった著作権ビジネスの構築も可能となる。
【００１２】
なお本発明は上記課題に鑑み、ネットワーク上で配信されるコンテンツに対する配信要求の伝送経路やコンテンツ配信の伝送経路を管理することで当該コンテンツの著作権の管理、保護を行うことを一つの目的とし提供するものである。しかしながらその他の有意義な目的も達成可能である。すなわち本発明を利用してコンテンツ配信以外の要求に関しての管理、保護、あるいは認証などの処理を行うこともできる。例えばインターネットを通して外部から電子ロック開錠の操作要求の伝送が行われた場合、その操作要求が悪意を持った第三者からのものであるか識別するために、当該要求情報が警備会社の運営する認証サーバなど予め定められたネットワーク上の伝送経路を通ってきたか否か判断する。そして規定外の伝送経路を通っている操作要求であった場合に、正当な操作要求ではないとして、その要求を拒否する、という具合である。
【００１３】
以上のように、本発明によってコンテンツ配信の供給など以外のさまざまな電子的な要求の伝送経路に応じて、該電子的な要求を適宜処理することも可能になる。
【発明を実施するための最良の形態】
【００１４】
以下に、図を用いて、本発明の実施の形態の一例を説明する。なお、本発明はこれら実施の形態に何ら限定されるものではなく、その要旨を逸脱しない範囲において、種々なる態様で実施しうる。
【００１５】
なお、実施例１から実施例７では、コンテンツ配信などの要求情報の伝送履歴に応じて要求情報の処理を行う第一伝送履歴依存処理装置について説明する。なお、請求項との対比で説明すると、実施例1は主に請求項１、２２について説明する。また、実施例２は主に請求項２について説明する。また、実施例３は主に請求項３について説明する。また、実施例４は主に請求項４、２３について説明する。また、実施例５、２４は主に請求項５について説明する。また、実施例６は主に請求項６について説明する。また、実施例７は主に請求項７について説明する。
【００１６】
また、実施例８から実施例１２では、コンテンツそのものなどの対象情報の伝送履歴に応じて対象情報の処理を行う第二伝送履歴依存処理装置について説明する。なお、請求項との対比で説明すると、実施例８は主に請求項８、２５について説明する。また、実施例９は主に請求項９について説明する。また、実施例１０は主に請求項１０について説明する。また、実施例１１は主に請求項１１、２６について説明する。また、実施例１２、２７は主に請求項１２について説明する。
【００１７】
また、実施例１３から実施例１９では、上記第一および第二伝送履歴依存処理装置の双方の機能を備えた第三伝送履歴依存処理装置について説明する。なお、請求項との対比で説明すると、実施例１３、２８は主に請求項１３について説明する。また、実施例１４は主に請求項１４について説明する。また、実施例１５は主に請求項１５について説明する。また、実施例１６は主に請求項１６、２９について説明する。また、実施例１７、３０は主に請求項１７について説明する。また、実施例１８は主に請求項１８について説明する。また、実施例１９は主に請求項１９について説明する。また、実施例２０は主に請求項２０について説明する。また、実施例２１は主に請求項２１について説明する。
【００１８】
≪実施例１≫
【００１９】
<概念>
【００２０】
図１に示すのは、本実施例の第一伝送履歴依存処理装置を利用したコンテンツ配信サービスの一例を示すものである。以下、同図に示す例に即して説明する。この図にあるように、端末αが、音楽配信サイトを運営するコンテンツサーバＡにアクセスした。ここでコンテンツサーバＡにある音楽ファイルａのダウンロードを希望する端末αのユーザは、その旨のダウンロード要求情報を、図中黒矢印で示すように、店舗サーバBで所望の音楽ファイルａの指定処理、および課金サーバＣでの課金処理を経てコンテンツサーバＡへと送信する。このときコンテンツサーバＡに組み込まれている本実施例の第一伝送履歴依存処理装置は、端末αから送信されてきた要求情報の伝送経路を確認する。そして、要求情報が課金サーバＣを通過していることを確認した後、コンテンツサーバから所望の音楽ファイルａの配信処理を行う。こうして端末αに音楽ファイルａがダウンロードされた。
【００２１】
一方、端末βのユーザも、同様に音楽ファイルａのダウンロードを希望している。しかしその音楽の著作権に見合った金額を払いたくは無い端末βのユーザは、図中斜線矢印で示すように、課金サーバＣを回避し別のサーバＸを介しコンテンツサーバＡに不正にアクセスした。そしてそこから音楽ファイルａのダウンロード要求を不正に行った。このとき第一伝送履歴依存処理装置は、この端末βからの要求情報を確認し、これが課金サーバＣを通過していない、と判断した。するとコンテンツサーバＡではこのダウンロード要求を拒否し、音楽ファイルａの配信処理は行われず、端末βのユーザは不正に音楽ファイルａをダウンロードすることができなかった。
【００２２】
このように、本実施例の第一伝送履歴依存処理装置により要求情報が正しく著作権者や著作権管理団体などの管理する課金サーバなどを通過しているか確認することで、配信段階での端末の配信対象としての正当性の有無を判断することができる。
【００２３】
<構成>
【００２４】
図２に示すのは、本実施例の第一伝送履歴依存処理装置における機能ブロックの一例を表す図である。
【００２５】
なお、以下に記載する各装置の機能ブロックは、ハードウェア、ソフトウェア、又はハードウェア及びソフトウェアの両方として実現され得る。具体的には、コンピュータを利用するものであれば、ＣＰＵやメモリ、バス、ハードディスクドライブ、ＣＤ−ＲＯＭやＤＶＤ−ＲＯＭなどの読取ドライブ、各種通信用の送受信ポート、インターフェース、その他の周辺装置などのハードウェア構成部や、それらハードウェアを制御するためのドライバプログラムやその他アプリケーションプログラムなどが挙げられる。
【００２６】
具体的には、メモリ上に展開されたプログラムを順次実行することで、メモリ上のデータや、インターフェースを介して入力されるデータの加工、蓄積、出力などにより各部の機能が実現される。
【００２７】
また、この発明は装置またはシステムとして実現できるのみでなく、方法としても実現可能である。また、このような発明の一部をソフトウェアとして構成することができることもできる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００２８】
この図にあるように、本実施例の「第一伝送履歴依存処理装置」（０２００）は、「第一受信部」（０２０１）と、「第一伝送履歴情報取得部」（０２０２）と、「第一処理手順情報保持部」（０２０３）と、「第一処理部」（０２０４）と、からなる。
【００２９】
「第一受信部」０２０１は、要求情報と、前記要求情報と関連付けた第一伝送履歴情報とを受信する機能を有する。
【００３０】
「要求情報」とは、電子的要求を示す情報をいい、例えば、要求情報はコンテンツの配信、あるいはストリーミング形式のデータならばコンテンツの再生を要求する情報が挙げられる。このような場合、要求情報には、例えばコンテンツの配信先となる端末のＩＰアドレスや、配信を要求するコンテンツを指定する情報などが含まれる。あるいはコンテンツの改変などを要求する情報であってもよい。その他に要求情報にはＷｅｂサービスでの認証などの際にヘッダに添付されるトークンが含まれていてもよい。
【００３１】
また要求情報は、図２５の（Ａ）に示すように、サーバを経由してもその内容が変わらずに次のサーバに伝送される場合の他に、図２５の（Ｂ）や（Ｃ）に示すように、サーバなどでの処理によってそのデータ内容などが書き換えられたり（○から△）、要求情報から派生する形で別の情報が生成されたり（○から○と△）した、情報の内容が元の要求情報とは異なった情報であっても良い。この場合、元となる要求情報が同一ならば、書き換えられたり派生して新たに生成されたりした要求情報も同一の情報として処理しても良い。これにより、後述する第一伝送履歴情報の同一性を確保することができる。
【００３２】
しかし、要求情報は、以上の例には限られないのであって、例えば電子機器一般に対する電子的制御信号のように電子的処理を行うことを要求する情報であればその内容は問わない。例えば、エアコンのスイッチの外出先からのオン・オフ切り替え要求や、証券会社と連接されている電子機器端末を外出先から操作して行う株式の売り買い注文要求や、外出先からの録音内容確認のための留守番電話の録音機再生要求や、ビデオのタイマー録画のセット要求や、家庭内を撮影するビデオカメラの外出先からの操作要求ならびに携帯電話への画像送信要求や、外出先から携帯電話などで指定した自宅パソコン内の電子文書の手元の複写機へのプリントアウト要求や、電子ロックの開錠、施錠要求や、自宅のセキュリティシステムの操作要求などに関する情報であってもよい。
【００３３】
このように本発明においては、様々な電子的処理を行う要求情報を伝送経路の履歴に応じて処理することで、例えば悪意ある第三者による電子ロックの開錠などの不正な要求を拒否することも可能である。
【００３４】
「第一伝送履歴情報」とは、要求情報の伝送履歴を示す情報をいう。また「要求情報の伝送履歴」とは、当該要求情報の伝送の際の様々な履歴をいい、例えば伝送の際の通信経路の履歴のほかに、所要時間の履歴や、同一のトランザクションでの過去の伝送履歴などを示す情報が挙げられる。ただし履歴が通信経路である場合、インターネットでは蜘蛛の巣状に接続された通信経路をひとつに指定することは困難であるので、この「通信経路」を指定するための方法の一例として、サーバなどの所定の中継ポイントを特定することによってその通信経路をしめす方法が挙げられる。つまり、中継ポイントＢ，Ｃ間でどのような経路を通過しようとも、それはひとつの通信経路として処理する、という具合である。
【００３５】
この第一伝送履歴情報は、上記の方法例にしたがえば、伝送経路として通過した中継サーバＢ、中継サーバＣを示す情報などが挙げられる。もちろん、社内ＬＡＮなど伝送経路自体の特定が可能であるならば、例えば伝送ケーブルを示す情報を伝送履歴情報としても良い。
なお、第一伝送履歴情報が、上記のように伝送経路として通過したサーバの情報である場合、例えばその中に認証サーバが含まれていると、表面的な情報内容や処理の上では従来の認証システムなどと同じように見受けられる。しかし、本実施例では、従来の認証システムとは異なり、伝送経路に認証サーバが含まれていることそれ自体が重要なのであり、その認証サーバでの認証処理結果に関わらず判断などを行う点を特徴としている。
【００３６】
また、第一伝送履歴情報には、時間に関する情報が含まれていてもよく、この場合当該情報は絶対的な時間にかかるものであってもよいし、相対的な時間にかかるものであってもよい。前者は、例えば、要求情報が中継器Ｂを○月○日○時○分○秒に通過したといった情報であり、後者は、例えば、要求情報が中継器ＢをコンテンツプロバイダのサーバＡを発信されてから○秒後に通過したといった情報である。あるいは送信先にたどり着くまでの所要時間などの情報でも良い。
【００３７】
また、要求情報の1回目の伝送は失敗であり、２回目以降で成功した場合などは、その伝送エラーの履歴であっても良い。あるいは、同一のトランザクションでの要求情報であれば、そのトランザクションにおける過去の要求情報の履歴であっても良い。
【００３８】
このような第一伝送履歴情報によって、要求情報が、例えば著作権者や著作権管理団体の管理する中継サーバを通過した、すなわち正当な要求であるなどを判断することが可能になる。また、第一伝送履歴情報として時間に関する情報を含ませることで、例えば要求情報が中継点をどのような順番で通過したかを特定することができる。また所要時間に関する情報が含まれることによって、必要以上に伝送に時間がかかっていれば、第三者による該要求情報の改竄があったなど、要求情報の信頼性を区別することができる。
【００３９】
なおこの第一伝送履歴情報の生成は、例えば通過した中継点であるサーバによって、要求情報に該サーバの識別情報が書き加えられることで生成されても良い。また、第一伝送履歴情報に含まれる相対的な時間に関する情報についてはヘッダ部分のＴＴＬ（生存時間）の情報を利用して生成されても良い。
【００４０】
また伝送履歴を示す中継点として、サーバだけでなくインターネットのルータが利用されても良い。その場合、要求情報が通過したルータの識別情報を取得し自らの伝送履歴としても良い。
【００４１】
なお、上記要求情報と第一伝送履歴情報は、両者の関連付けが確認され得るのであれば第一受信部において必ずしも同時に受信される必要はない。
【００４２】
「第一伝送履歴情報取得部」（０２０２）は、前記第一伝送履歴情報を取得する機能を有する。この第一伝送履歴情報取得部では、第一伝送履歴情報を受信した形態でそのまま取得しても良いし、以下のように何らかの加工などを行って取得しても良い。例えば、あるトランザクションでの要求情報を取得した場合、メモリやハードディスクなどの保持部で保持されている過去の同一のトランザクションでの要求情報を伝送履歴情報として取得する、などの追加取得が行われても良い。
【００４３】
あるいは第一伝送履歴情報取得部で、要求情報と関連付けて第一受信部で受信された第一伝送履歴情報を、後述する第一処理部において同じく後述する第一処理手順情報と例えば比較処理などを行うために取得する。そのため第一処理部での処理に適したデータ形式に変換する手段を備えていても良い。例えば第一伝送履歴情報が通過したサーバのＩＰアドレスである場合に、比較処理を行う対象となる第一処理手順情報には通過すべきサーバのＵＲＬ情報が含まれているならば、このＩＰアドレスを対応するＵＲＬに変換する処理が行われて取得される、と言う具合である。
【００４４】
「第一処理手順情報保持部」（０２０３）は、第一処理手順情報を保持する機能を有する。
【００４５】
「第一処理手順情報」とは、伝送履歴に応じた要求情報の処理を規定する情報をいう。例えば、第一伝送履歴情報が満たしていなければならない条件に関する情報や、要求内容に応じて実行する処理内容を示す情報などが挙げられる。
【００４６】
図３に示すのは、この第一処理手順情報の一例を模式的に表す図である。この図にあるように、伝送履歴として「課金サーバＣ」と「中継サーバＢ」を含んでいる場合、要求情報の処理として「要求情報で指定される音楽ファイルの配信」を行うよう規定されている、という具合である。そのほかにも、「警備認証サーバＰ」を通過した伝送履歴を持つ要求情報は、「要求情報で示す処理要求、例えばドアの開錠や個人データの引き出しなど」を行うなどを規定する情報であってもいい。
【００４７】
もちろん、第一処理手順情報で規定される処理は、上記のような処理の実行の有無だけでなく、その他の様々な形態での処理が行われて良い。具体的には、映画の配信が要求情報である場合、要求情報の伝送履歴に伝送の所要時間が含まれている。この所要時間が所定時間以上かかっている場合には、回線のトラフィックが大きいとして、音声データをカットし字幕のテキストと映像データのみの省略データを配信する処理が行われる、という具合である。これによって、ストリーミング配信される映画で、回線トラフィックの混雑を理由とする映像と音声のずれを回避することができる。
【００４８】
また、要求情報の処理に関する規定は、例えば配信要求には配信処理といった要求に直接関係する処理ばかりでなく、配信要求に対しては配信すべき伝送経路の規定を含む情報であっても良い。
【００４９】
また、第一処理手順情報の規定する伝送履歴の中には、その中継ポイントなどの通過順を定め、それに応じた処理を規定していても良い。例えば登録会員制の配信サーバなどの場合、認証サーバＩの後、課金サーバＣを通過した要求情報であれば要求に応えるが、その逆の伝送履歴であれば、課金の後認証と言うあまり無い経路を経ているので、その信頼性に疑問があるとして要求情報の処理を行わない、などである。
【００５０】
このように伝送履歴に応じた要求情報の処理を規定することで、後述する第一処理部における伝送履歴に応じた要求情報への適宜処理が可能となる。
【００５１】
「第一処理部」（０２０４）は、第一処理手順情報保持部（０２０３）に保持された第一処理手順情報にしたがって要求情報を処理する機能を有する。具体的な処理例としては、第一処理手順情報と、要求情報及び第一伝送履歴情報との該当する項目、を比較、参照し合致した場合に処理手順情報で示す処理、例えばコンテンツの配信処理やコンテンツの再生処理などを行う方法が挙げられる。
【００５２】
図４を利用して、上記第一処理手順情報と、要求情報及びその伝送履歴情報との比較による要求情報の処理の一例について説明する。この図にあるように、保持されている第一処理手順情報として、要求情報が通過すべき中継点（要求情報に含まれるべき伝送履歴）である「課金サーバＣ」、「中継サーバＢ」と、前記伝送履歴を満たしていた場合の要求情報の処理「指定された音楽ファイルの配信」が規定されている。一方、受信した要求情報として、「音楽ファイルａの配信」が要求され、取得したその要求情報の第一伝送履歴情報として、「端末α→・・・→課金サーバＣ→中継サーバＣ→・・・→コンテンツサーバＡ」という伝送履歴が示されている。ここで、第一処理部は第一処理手順情報と伝送履歴情報とを比較し、規定された通過すべき中継サーバを要求情報が通過しているか判断する。こここで通過しているとの判断結果である場合には、要求情報に含まれる「音楽ファイルａ」という指定に基づいて、同じく要求情報に含まれている配信先の端末αのＩＰアドレスに対して音楽ファイルαを送信する処理を行う。もちろん中継点を示す情報が合致しない場合は上記配信処理を行わない。
【００５３】
このように本実施例の第一伝送履歴依存処理装置は、要求情報の伝送履歴に応じてその要求に応じるか適宜処理を行ので、例えばコンテンツサーバに具備され、要求情報が正しく著作権者や著作権管理団体などの管理するサーバなどを通過しているか確認することで配信段階での端末の配信対象としての正当性の有無を判断することができる。
【００５４】
また、中継点となるサーバを著作権者や著作権管理団体が管理、監視することで、流通するコンテンツの流れを把握することが可能になり、例えば、その流通量（回数）や伝送経路に応じたライセンス料を徴収するといった著作権ビジネスの構築も可能となる。
【００５５】
あるいは、自宅の電子機器の管理を行うホームサーバに具備され、ネットワークを介した外部からのドアの開錠要求や個人情報の開示要求などが、警備会社の管理する認証サーバを通過した家族からの要求情報なのか否か判断し対応することができる。
【００５６】
<処理の流れ>
【００５７】
図５は、本実施例における処理の流れの一例を示したフローチャートである。本実施例における処理の流れは、以下のステップからなる。まず、要求情報とその要求情報と関連付けた第一伝送履歴情報を受信する（ステップＳ０５０１）。次に、前記ステップＳ０５０１において受信した第一伝送履歴情報を取得する（ステップＳ０５０２）。最後に、予め保持されている第一処理手順情報にしたがって要求情報を処理する（ステップＳ０５０３）。
【００５８】
<効果の簡単な説明>
【００５９】
以上のように本実施例の伝送履歴依存処理装置によって、ネットワーク上のコンテンツの配信要求などの要求情報の伝送経路を管理することが可能になる。したがって、例えば著作権者の課金サーバなどを経由したと判断された要求情報のみに対してコンテンツを配信するなどの対応が可能となり、コンテンツの著作権の保護を実効あらしめることが可能となる。
【００６０】
また、かかる仕組みを利用して、その流通回数や伝送経路に応じたライセンス料を徴収するといった著作権ビジネスの構築も可能となる。
【００６１】
また、電子的な要求、例えばネットワークを介した遠隔操作による電子ロックの解除や留守番電話の再生の要求情報などが正当かどうか判断し、不正な利用を防ぐことができる。
【００６２】
≪実施例２≫
【００６３】
<概念>
【００６４】
本実施例は、実施例１を基本として、第一伝送履歴情報に、課金サーバや中継サーバなどの通過ポイントを示す情報が含まれることを特徴としている。前述のように、インターネットは蜘蛛の巣状のネットワークであり、ユーザ端末から課金サーバや中継サーバを通過してコンテンツサーバに辿り着く伝送経路は一つではない。本発明の装置を小さな社内ＬＡＮなどで運用する場合はこの限りではないが、やはりネットワークで流通するコンテンツの著作権管理、保護や、外出先からのホームサーバの管理を一つの目的とするならばインターネットなどの巨大ネットワークにおける運用が想定されるべきである。そこで、本実施例のように伝送履歴情報として通過ポイントを示し、課金サーバと中継サーバを通過していれば途中の伝送経路は問わず一つの伝送経路とすることで、蜘蛛の巣状のネットワークにおいても、本実施例の第一伝送履歴依存処理装置は著作権保護や自宅ホームサーバの不正利用の防止といった効果を十分に奏することができる。
【００６５】
<構成>
【００６６】
図６に示すのは、本実施例の第一伝送履歴依存処理装置における機能ブロックの一例を表す図である。この図にあるように、本実施例の「第一伝送履歴依存処理装置」（０６００）は、「第一受信部」（０６０１）と、「第一伝送履歴情報取得部」（０６０２）と、「第一処理手順情報保持部」（０６０３）と、「第一処理部」（０６０４）と、からなる。なお「第一受信部」と、「第一伝送履歴情報取得部」と「第一処理手順情報保持部」と「第一処理部」は、実施例１で説明したものとおおむね同様であるとしてその説明は省略する。
【００６７】
そして本実施例の特徴点としては、「第一受信部」で受信する第一伝送履歴情報に通過ポイント情報が含まれる点である。
【００６８】
「通過ポイント情報」とは、要求情報が第一受信部に受信されるに至るまでに通過した通過ポイントを示す情報をいい、例えば、著作権者などの定める課金サーバや警備会社の定める認証サーバ、あるいは監視用サーバや、コンテンツの再配信権などを有する者の管理するサーバ、広告提供者のサーバ、ストリーミング放送を行う放送局のサーバ、などのＩＰアドレスなどの識別情報が挙げられる。あるいは所定のルータなどの識別情報であっても良い。
【００６９】
また、サーバ間通信の経路を示す通過ポイント情報で「サーバＡ→サーバＢ→サーバＣ」と示される情報は、図２６の（Ａ）で示すように、サーバＡからサーバＢに情報が送信され、つづいてサーバＢからサーバＣへと情報が送信される伝送経路が挙げられる。あるいはそれ以外にも、「サーバＡ→サーバＢ→サーバＣ」と示される第一伝送履歴情報は図２６の（Ｂ）で示すように、例えばサーバＡからサーバＢに送信された情報がいったんサーバＡに返され、つづいてサーバＡからサーバＣに情報が送信されるなどの伝送形態を含むものとする。
【００７０】
<効果の簡単な説明>    
【００７１】
以上のような本実施例の第一伝送履歴依存処理装置によって、蜘蛛の巣状の巨大なネットワークにおいても伝送経路を容易に特定することができるので著作権保護や自宅ホームサーバの不正利用の防止といった効果を十分に奏することができる。
【００７２】
≪実施例３≫
【００７３】
<概念>
【００７４】
本実施例は、実施例１または２を基本として、伝送履歴情報に装置の種類や記録メディアの種類、ネットワーク媒体の種類（ＩＳＤＮ回線かＣＡＴＶ回線か、など）などの伝送媒体の種類を示す情報が含まれていることを特徴としている。
【００７５】
このような本実施例の第一伝送履歴依存処理装置を利用した実施の形態例として、楽曲をダウンロードしてカラオケを楽しめるネットワーク対応マイク型カラオケ機器に利用する形態が挙げられる。この場合、例えばユーザはカラオケ専用ディスプレイとマイク型カラオケ機器とを繋ぎ、インターネットに接続している。そして本実施例の装置が組み込まれたカラオケシステムの専用サイトから楽曲をダウンロードするのだが、そのためには楽曲リクエストの要求情報がマイク型カラオケ機器と専用ディスプレイの２つを伝送媒体として伝送されてきている場合に限る、すなわち伝送履歴に上記２つの専用種類の伝送媒体が含まれている場合に限るとする。このようにすることでコンテンツの不正な流通を防ぐとともに、コンテンツ提供者にとってみれば専用伝送媒体からのみのダウンロードを許可することにより顧客の囲い込み及び伝送媒体であるネットワーク対応商品の販売促進を行うことができる。
【００７６】
<構成>
【００７７】
図７に示すのは、本実施例の第一伝送履歴依存処理装置における機能ブロックの一例を表す図である。この図にあるように、本実施例の「第一伝送履歴依存処理装置」（０７００）は、「第一受信部」（０７０１）と、「第一伝送履歴情報取得部」（０７０２）と、「第一処理手順情報保持部」（０７０３）と、「第一処理部」（０７０４）と、からなる。なお「第一受信部」と、「第一伝送履歴情報取得部」と「第一処理手順情報保持部」と「第一処理部」は、実施例１で説明したものとおおむね同様であるとしてその説明は省略する。
【００７８】
そして本実施例の特徴点としては、「第一受信部」で受信する第一伝送履歴情報に伝送媒体種情報が含まれる点である。
【００７９】
「伝送媒体種情報」とは、要求情報が第一受信部に受信されるに至るまでに利用された伝送媒体の種類を示す情報をいい、伝送媒体とは、例えば、装置や記録媒体、ネットワーク媒体などが含まれる。具体的にいえば、概念で挙げたように何らかの製品やサービス用の専用の装置や電話回線中継器、インターネットサーバ、コンピュータ、モデムといった装置の別や、ブリッジメディア、不揮発性メモリ、ＣＤ−ＲＯＭやＤＶＤ−ＲＯＭといった記録媒体の別や、電話回線、インターネット回線、無線通信網、ＣＡＴＶ回線といったネットワーク媒体の別などが挙げられる。また、上記製品や記録メディア、回線を製造または運営する主体による別であっても良い。
【００８０】
このように伝送媒体種情報が伝送履歴に含まれることで、本実施例の第一伝送履歴依存処理装置は、例えば運営や製造主体を別とする処理を行えば、上記概念で説明したようにコンテンツの著作権保護と同時に顧客の囲い込みなども行いうる。
【００８１】
またネットワーク媒体の種類に応じて要求情報に対する処理を行えば、携帯電話回線を示す情報が伝送履歴情報に含まれていた場合、処理にスペックを要する高画質動画は配信しない、という第一処理手順情報に基づいての処理を行うこともできる。
【００８２】
<効果の簡単な説明>    
【００８３】
以上のような本実施例の第一伝送履歴依存処理装置によって、著作権保護と同時にサービスや製品提供者にとっては顧客の囲い込みなどを行うことができる。また、ネットワーク媒体の種類に応じた処理を行うことも可能になる。
【００８４】
≪実施例４≫
【００８５】
<概念>
【００８６】
本実施例は、実施例２を基本として、通過ポイント情報で示されるすべての通過ポイントを要求情報が通過した場合にのみ、要求情報に示される電子的要求を実行することを特徴とする。例えば要求情報が認証サーバと課金サーバとを通過した場合にのみ、要求情報に示されたコンテンツの配信を実行するとすれば、本実施例の装置によってより確実にコンテンツの著作権を保護することが可能になる。
【００８７】
また、認証サーバや課金サーバに加え、ある主体が運営するポータルサーバの通過もコンテンツ配信の必要条件とするならば、この運営主体によるコンテンツ配信サービスの顧客の囲い込みを行うことも可能である。
【００８８】
<構成>
【００８９】
なお、本実施例の第一伝送履歴依存処理装置における機能ブロックは、実施例２で説明したものと同様であるので図示、説明ともに省略する。
【００９０】
そして本実施例は、その特徴点として前記第一処理手順情報が、要求情報に示される電子的要求を実行するか実行しないかを第一伝送履歴情報に基づいて規定する。そして第一伝送履歴情報の中で電子的要求を実行すると規定されるものは前記通過ポイントのすべてを要求情報が通過したことである点である。
【００９１】
図８に示すのは、本実施例の第一処理手順情報の一例を模式的に表す図である。この図にあるように第一処理手順情報に示される「音楽ファイルの配信」（電子的要求）を実行するための規定は、「認証サーバＳ」、「課金サーバＣ」、「中継サーバＢ」のすべてのサーバが要求情報の通過ポイントとなっていることである。したがって要求情報の第一伝送履歴情報に「課金サーバＣ」と「中継サーバＢ」を示す情報が含められていても、「認証サーバＳ」を示す情報が含まれていなければ、本実施例の第一伝送履歴依存処理装置は音楽ファイルの配信処理を行わない。
【００９２】
なお、この「通過ポイントのすべてを通過」とは、例えばサーバＡ，Ｂ，Ｃが通過ポイントとして規定されている場合、要求情報の送信元から送信先への伝送経路にはサーバＡ，Ｂ，Ｃ以外含まれない、というさらに厳密な規定であっても良い。もちろん、要求情報の送信元から送信先への伝送経路にはサーバＡ，Ｂ，Ｃ以外も含まれる、という規定であっても良い。
【００９３】
このように厳格に第一処理手順情報を規定することで、より確実にコンテンツの著作権を保護することが可能になる。また概念で説明したように第一処理手順情報で特定の運営主体によるポータルサーバを通過ポイントとすることを規定しておけば、この運営主体によるコンテンツ配信サービスの顧客の囲い込みを行うことも可能である。
【００９４】
<処理の流れ>
【００９５】
図９に示すのは、本実施例における処理の流れの一例を示したフローチャートである。本実施例における処理の流れは、以下のステップからなる。まず、要求情報とその要求情報と関連付けた第一伝送履歴情報を受信する（ステップＳ０９０１）。次に、前記ステップＳ０９０１において受信した第一伝送履歴情報を取得する（ステップＳ０９０２）。
【００９６】
つづいて、通過ポイントのすべてを要求情報が通過したか否かの判断を行う（ステップＳ０９０３）。ここですべてを通過したと判断された場合、要求情報に示される電子的要求を実行する（ステップＳ０９０４）。
【００９７】
一方、通過ポイントのすべてを要求情報が通過しなかったとの判断結果の場合、電子的要求は実行されず、本処理の流れは終了する。
【００９８】
<効果の簡単な説明>    
【００９９】
以上のような本実施例の第一伝送履歴依存処理装置によって、より確実にコンテンツの著作権を保護することが可能になる。また第一処理手順情報で特定の運営主体によるポータルサーバを通過ポイントとすることを規定しておけば、この運営主体によるコンテンツ配信サービスの顧客の囲い込みを行うことも可能である。
【０１００】
≪実施例５≫
【０１０１】
<概念>
【０１０２】
本実施例は、実施例２を基本として、通過ポイント情報で示される通過ポイントのいずれか一以上を要求情報が通過した場合に、要求情報に示される電子的要求を実行することを特徴とする。すなわち、実施例４と異なり、厳格なコンテンツの著作権保護と言う効果は低くなる。しかしながら、要求情報が例えば課金サーバを通過したことさえ示せれば著作権者の財産権は守られるので配信要求者はコンテンツを受け取るに足る、と考えれば、必ずしもすべての通過ポイントを厳密に通過させる必要は無い。逆に実施例４のような厳密な第一処理手順情報であれば、例えば人気のあるコンテンツの場合、その多数の要求情報が通過ポイントである各サーバすべてを通過することになるサーバの負荷が高くなる。そこで、複数の課金サーバを用意しておき、そのいずれかを通過させる構成をとることで課金サーバの負荷を抑えることができる。
【０１０３】
もちろん通過ポイントとして規定されているのが課金サーバ以外の、通常の認証サーバや中継サーバであっても本実施例の装置の有する機能や奏する効果には何ら変わりは無い。
【０１０４】
<構成>
【０１０５】
なお、本実施例の第一伝送履歴依存処理装置における機能ブロックも、実施例２で説明したものと同様であるので図示、説明ともに省略する。
【０１０６】
そして本実施例は、その特徴点として前記第一処理手順情報が、要求情報に示される電子的要求を実行するか実行しないかを第一伝送履歴情報に基づいて規定する。そして第一伝送履歴情報の中で電子的要求を実行すると規定されるものは前記通過ポイントのいずれか一以上を要求情報が通過したことである点である。
【０１０７】
図１０に示すのは、本実施例の第一処理手順情報の一例を模式的に表す図である。この図にあるように第一処理手順情報に示される「音楽ファイルの配信」（電子的要求）を実行するための規定は、「課金サーバＣ１」、「課金サーバＣ２」、「課金サーバＣ３」のサーバのうちいずれか１つが要求情報の通過ポイントとなっていることである。したがって要求情報の第一伝送履歴情報に「課金サーバＣ１」、「課金サーバＣ２」、「課金サーバＣ３」のいずれか示す情報が含まれていれば、本実施例の第一伝送履歴依存処理装置は音楽ファイルの配信処理を行うことになる。
【０１０８】
このように第一処理手順情報を規定することで、通過ポイントの情報処理負荷や回線占有負荷を分散させることができる。
【０１０９】
<処理の流れ>
【０１１０】
図１１に示すのは、本実施例における処理の流れの一例を示したフローチャートである。本実施例における処理の流れは、以下のステップからなる。まず、要求情報とその要求情報と関連付けた第一伝送履歴情報を受信する（ステップＳ１１０１）。次に、前記ステップＳ１１０１において受信した第一伝送履歴情報を取得する（ステップＳ１１０２）。
【０１１１】
つづいて、通過ポイントのいずれか一以上を要求情報が通過したか否かの判断を行う（ステップＳ１１０３）。ここでいずれか一以上を通過したと判断された場合、要求情報に示される電子的要求を実行する（ステップＳ１１０４）。
【０１１２】
一方、通過ポイントのいずれも要求情報が通過しなかったとの判断結果の場合、電子的要求は実行されず、本処理の流れは終了する。
【０１１３】
<効果の簡単な説明>    
【０１１４】
以上のような本実施例の第一伝送履歴依存処理装置によって、通過ポイントの情報処理負荷や回線占有負荷を分散させることができる。
【０１１５】
≪実施例６≫
【０１１６】
<概念及び構成>
【０１１７】
本実施例は、実施例１ないし５のいずれか一を基本として、前記要求情報が、コンテンツの配信要求を示す配信要求情報を含むことを特徴とする。上記実施例で説明してきたように、本発明は、電子ロックの開錠要求などさまざまな電子的要求に関する管理を可能とする。中でもネットワーク上でのコンテンツ配信要求により流通するコンテンツの著作権管理、保護に効果を奏しうる。したがって、本実施例の第一伝送履歴依存処理装置によって効果の高いコンテンツの著作権管理、保護に特化したビジネスの構築などが可能となる。
【０１１８】
なお、本実施例の伝送履歴依存処理装置における機能ブロックも、実施例１などで説明したものと同様であるので図示、説明ともに省略する。
【０１１９】
<効果の簡単な説明>    
【０１２０】
以上のような本実施例の第一伝送履歴依存処理装置によって効果の高いコンテンツの著作権管理、保護に特化したビジネスの構築などが可能となる。
【０１２１】
≪実施例７≫
【０１２２】
<概念及び構成>
【０１２３】
本実施例は、実施例１ないし５のいずれか一を基本として、前記要求情報が、コンテンツの再生を再生装置においてすることの要求を示す再生要求情報を含むことを特徴とする。このように、本実施例においても実施例６と同様にコンテンツの著作権管理、保護に特化したビジネスの構築が可能である。
【０１２４】
また、本実施例ではコンテンツの配信ではなく、再生装置における再生の要求情報である点が特徴である。すなわちストリーミング配信などの形態で実施されているコンテンツの著作権管理、保護において活用可能である。あるいは、ＤＶＤメディアやインターネット上のサーバから暗号化された映像情報を取得した場合、その復号化用の情報が、要求情報の伝送履歴に応じて配信されても良い。
【０１２５】
なお、本実施例の伝送履歴依存処理装置における機能ブロックも、実施例１などで説明したものと同様であるので図示、説明ともに省略する。
【０１２６】
<効果の簡単な説明>    
【０１２７】
以上のような本実施例の第一伝送履歴依存処理装置によって効果の高いコンテンツの著作権管理、保護、とりわけストリーミング配信のコンテンツや暗号化された情報の著作権管理、保護に特化したビジネスの構築などが可能となる。
【０１２８】
≪実施例８≫
【０１２９】
<概念>
【０１３０】
本実施例は、実施例１と同様に、コンテンツの著作権管理や保護を目的とし、その伝送経路に応じた処理を行う第二伝送履歴依存処理装置である。実施例１との相違点は、伝送経路に応じた処理の対象が要求情報ではなく、対象情報、例えばコンテンツそのものである点である。すなわち、実施例１の装置は、おおむねコンテンツサーバなどに組み込まれ、ユーザの端末から送信されてきた要求情報をその伝送経路に応じて処理する装置である。一方、本実施例の装置は、おおむねユーザの端末に組み込まれることで、コンテンツサーバから送信されてきたコンテンツが正規の伝送経路を経て端末に送信されたものか判断してコンテンツ再生などの処理を行う装置である。以下、図を用いて本実施例の概念の一例を説明する。
【０１３１】
図１２に示すのは、本実施例の第二伝送履歴依存処理装置を利用したコンテンツ配信サービスの一例を示すものである。以下、同図に示す例に即して説明する。この図にあるコンテンツ配信サービスはマイク型カラオケ機器にインターネット上のコンテンツサーバから音楽ファイルをダウンロードし再生することでカラオケを楽しむサービスである。ここでカラオケ機器αが、公認楽曲配信サイトのあるコンテンツサーバＡにアクセスし希望する音楽のファイルａのダウンロード要求を行った。するとこのコンテンツサーバＡは、音楽ファイルａを、図中黒矢印で示すように、中継サーバＢ及びポータルサーバＣを経由してカラオケ機器αに送信する処理を行う。このとき、カラオケ機器αに予め組み込まれている本実施例の第二伝送履歴依存処理装置は、この音楽ファイルａの伝送経路を確認する。そして、音楽ファイルａがコンテンツサーバＡに付随する中継サーバＢおよびポータルサーバＣを通過していることを確認すると、カラオケ機器αにおいて音楽ファイルａの復号化や再生を許可する。こうしてカラオケ機器αのユーザはカラオケを楽しむことができる。
【０１３２】
一方、カラオケ機器βのユーザも同様に音楽ファイルａでカラオケを楽しみたいと考えた。しかし、カラオケ機器βは音楽ファイルａを、上記のような公認楽曲配信サイトではなく、図中斜線矢印で示すように、著作権者から許諾を得ていない個人運営サーバからダウンロードした。このときカラオケ機器βに組み込まれている第二伝送履歴依存処理装置は、この音楽ファイルａの伝送履歴に、公認楽曲配信サイトから配信されていれば当然含まれているはずの中継サーバＢやポータルサイトＣが含まれていないことから、この音楽ファイルａは著作権者の管理外で流通しているものである、と判断した。そして、この音楽ファイルａの復号化や再生を許可しなかった。
【０１３３】
このように、本実施例の第二伝送履歴依存処理装置によりコンテンツが正しく著作権者や著作権管理団体などの管理内で配信されたものであるか確認することで、配信された端末の、コンテンツ再生などの正当性の有無を判断することができる。
【０１３４】
<構成>
【０１３５】
図１３に示すのは、本実施例の第二伝送履歴依存処理装置における機能ブロックの一例を表す図である。この図にあるように、本実施例の「第二伝送履歴依存処理装置」（１３００）は、「第二受信部」（１３０１）と、「第二伝送履歴情報取得部」（１３０２）と、「第二処理手順情報保持部」（１３０３）と、「第一処理部」（１３０４）と、からなる。
【０１３６】
なお、「第二受信部」（１３０１）は、要求情報の代わりに対象情報を受信し、第一伝送履歴情報の代わりに第二伝送履歴情報を受信する以外、その機能などは実施例１で説明した「第一受信部」と同様であるとしてその詳細な説明は省略する。
【０１３７】
「対象情報」とは、処理の対象となる情報をいい、例えば、動画、画像、音楽、テキスト、プログラム、情報のアドレスなどが挙げられる。動画や画像、音楽、テキストなどはコンテンツ配信におけるコンテンツとして本実施例の装置による著作権の管理、保護が為される。あるいはプログラムであれば、その伝送経路に応じて配信先において実行される処理が為されるとよい。プログラムには、例えば、上記要求情報で挙げたようなコンテンツ以外の電子的要求を実行するための各種情報が挙げられる。情報のアドレスは、第二処理部において、例えば複数あるミラーサーバのアドレスの中から伝送履歴である所要時間にしたがって回線が空いているミラーサーバのアドレスを選択し接続する処理を行うと良い。
【０１３８】
また、この対象情報は、著作権者の権利を保護するために自由な実行を禁止するよう暗号化などが為されていても良い。
【０１３９】
「第二伝送履歴情報」とは、対象情報の伝送履歴を示す情報をいう。なお伝送履歴や第二伝送履歴情報の具体的な例示、その生成などの例示は実施例1と同様であるとして説明は省略する。
【０１４０】
なお、上記対象情報と第二伝送履歴情報は、第一受信部同様、関連付けられてさえいれば第二受信部において同時に受信される必要は必ずしもない。
【０１４１】
「第二伝送履歴情報取得部」（１３０２）も、第一伝送履歴情報の代わりに第二伝送履歴情報を取得する以外、実施例１で説明した「第一伝送履歴情報取得部」と同様であるのでその説明は省略する。
【０１４２】
「第二処理手順情報保持部」（１３０３）も、第一処理手順情報の代わりに第二処理手順情報を取得する以外、実施例１で説明した「第一処理手順情報保持部」と同様であるのでその説明は省略する。
【０１４３】
「第二処理手順情報」とは、伝送履歴に応じた対象情報の処理を規定する情報をいう。規定される処理の対象が、要求情報の代わりに対象情報であること以外、実施例１で説明した第一処理手順情報と同様であるとして、その具体的例示などは省略する。
【０１４４】
「第二処理部」（１３０４）も、第一処理手順情報の代わりに第二処理手順情報で、要求情報の代わりに対象情報を処理すること以外、実施例１で説明した「第一処理部」と同様である。
【０１４５】
第二処理部での処理は、具体的例を挙げて説明すると、以下のような処理である。例えば保持されている第二処理手順情報として、対象情報が通過すべき中継点である「中継サーバＢ」、「ポータルサーバＣ」と、前記伝送履歴を満たしていた場合の対象情報の処理「音楽ファイルａの復号化、再生」が規定されている。ここで対象情報として「音楽ファイルａ」を受信し、取得したその対象情報の第二伝送履歴情報として、「コンテンツサーバＡ→中継サーバＢ→ポータルサーバＣ→・・・→カラオケ機器α」という伝送履歴が示されている。するとこの第二処理部で、は第二処理手順情報と伝送履歴情報とを比較し、規定された伝送履歴を対象情報が満たしているか判断する。ここで満たしているとの判断結果である場合には、対象情報の処理の規定にしたがって、音楽ファイルａの復号化、再生処理を行う。もちろん対象情報の伝送履歴を示す情報が規定された第二処理手順情報と合致しない場合は、上記復号化を行わない、あるいは音楽ファイル自体の消去処理を行うとよい。
【０１４６】
あるいは、本実施例の装置は、概念で述べたようにおおむねユーザの端末に組み込まれることが想定される。そこで、例えば正当な伝送履歴で音楽ファイルなどをダウンロードしたユーザ端末から、不正に別のユーザの端末にその音楽ファイルがコピーされることを防ぐため、再生のみ許可してコピーを不許可とする処理を行っても良い。
【０１４７】
このように本実施例の第二伝送履歴依存処理装置は、対象情報の伝送履歴に応じてその対象情報を適宜処理するので、例えば端末に具備され、対象情報が正しく著作権者や著作権管理団体などの管理するサーバなどを通過しているか確認することで、配信された端末の、コンテンツ再生などの正当性の有無を判断することができる。
【０１４８】
また、中継点となるサーバを著作権者や著作権管理団体が管理、監視し、また第二伝送履歴依存処理装置の取得した情報をその著作権者などに送信することで、流通するコンテンツの流れを把握することが可能になり、例えば、その流通量（回数）や伝送経路に応じたライセンス料を徴収するといった著作権ビジネスの構築も可能となる。
【０１４９】
<処理の流れ>
【０１５０】
図１４は、本実施例における処理の流れの一例を示したフローチャートである。本実施例における処理の流れは、以下のステップからなる。まず、対象情報と、その対象情報と関連付けた第二伝送履歴情報とを受信する（ステップＳ１４０１）。次に、前記ステップＳ１４０１において受信した第二伝送履歴情報を取得する（ステップＳ１４０２）。最後に、予め保持されている第二処理手順情報にしたがって対象情報を処理する（ステップＳ１４０３）。
【０１５１】
<効果の簡単な説明>
【０１５２】
このように本実施例の第二伝送履歴依存処理装置は、対象情報の伝送履歴に応じてその対象情報を適宜処理するので、例えば端末に具備され、対象情報が正しく著作権者や著作権管理団体などの管理するサーバなどを通過しているか確認することで、配信された端末の、コンテンツ再生などの正当性の有無を判断することができる。
【０１５３】
また、中継点となるサーバを著作権者や著作権管理団体が管理、監視し、また第二伝送履歴依存処理装置の取得した情報をその著作権者などに送信することで、流通するコンテンツの流れを把握することが可能になり、例えば、その流通量（回数）や伝送経路に応じたライセンス料を徴収するといった著作権ビジネスの構築も可能となる。
【０１５４】
≪実施例９≫
【０１５５】
<概念>
【０１５６】
本実施例は、実施例８を基本として、実施例２と同様に、第二伝送履歴情報に、ポータルサーバや中継サーバなどの通過ポイントを示す情報が含まれることを特徴としている。したがって、実施例２と同様に、本実施例によって蜘蛛の巣状の巨大なネットワーク内を流通する対象情報の伝送経路でも一つとみなし特定することができ、著作権保護などの効果を十分に奏することができる。
【０１５７】
<構成>
【０１５８】
図１５に示すのは、本実施例の第二伝送履歴依存処理装置における機能ブロックの一例を表す図である。この図にあるように、本実施例の「第二伝送履歴依存処理装置」（１５００）は、「第二受信部」（１５０１）と、「第二伝送履歴情報取得部」（１５０２）と、「第二処理手順情報保持部」（１５０３）と、「第二処理部」（１５０４）と、からなる。なお「第二受信部」と、「第二伝送履歴情報取得部」と「第二処理手順情報保持部」と「第二処理部」は、実施例８とおおむね同様であるとしてその説明は省略する。
【０１５９】
そして本実施例の特徴点は、「第二受信部」で受信する第二伝送履歴情報に通過ポイント情報が含まれる点であるが、「通過ポイント情報」については実施例２で説明済みであるのでその説明は省略する。
【０１６０】
<効果の簡単な説明>    
【０１６１】
以上のような本実施例の第二伝送履歴依存処理装置によって、実施例２同様、蜘蛛の巣状の巨大なネットワークにおいても伝送経路を容易に特定することができるので著作権保護などの効果を十分に奏することができる。
【０１６２】
≪実施例１０≫
【０１６３】
<概念>
【０１６４】
本実施例は、実施例８または９を基本として、実施例３と同様に、第二伝送履歴情報に装置の種類や記録メディアの種類、ネットワーク媒体の種類などの伝送媒体の種類を示す情報が含まれていることを特徴としている。
【０１６５】
このような本実施例の第二伝送履歴依存処理装置を利用した実施の形態例として、例えばネットワーク媒体であるＩＳＤＮなどの低速回線を伝送媒体として配信された動画コンテンツは、画質が悪いことが多い。そこで、このような伝送履歴を有する動画コンテンツは、大画面デジタルテレビなどの高品位出力端末における再生を不許可とする、と言う具合である。このようにして、著作権者の望まない形態でのコンテンツの処理などを防ぐことができる。
【０１６６】
<構成>
【０１６７】
図１６に示すのは、本実施例の第二伝送履歴依存処理装置における機能ブロックの一例を表す図である。この図にあるように、本実施例の「第二伝送履歴依存処理装置」（１６００）は、「第二受信部」（１６０１）と、「第二伝送履歴情報取得部」（１６０２）と、「第二処理手順情報保持部」（１６０３）と、「第二処理部」（１６０４）と、からなる。なお「第二受信部」と、「第二伝送履歴情報取得部」と「第二処理手順情報保持部」と「第二処理部」は、実施例８で説明したものとおおむね同様であるとしてその説明は省略する。
【０１６８】
そして本実施例の特徴点は、「第二受信部」で受信する第二伝送履歴情報に伝送媒体種情報が含まれる点であるが、「伝送媒体種情報」は、実施例３で説明済みであるのでその説明は省略する。
【０１６９】
このように伝送媒体種情報が伝送履歴に含まれることで、上記概念で記載したようにコンテンツの著作権者の意向に応じた形態でのコンテンツの処理を行うことができる。
【０１７０】
また記録媒体の種類に応じて対象情報に対する処理の可否判断が下されれば、専用記録メディアのみを利用した店頭販売などのビジネスを構築することも可能である。
【０１７１】
<効果の簡単な説明>    
【０１７２】
以上のような本実施例の第二伝送履歴依存処理装置によって、著作権者の意向に応じた形態でのコンテンツの処理を行うことができる。また専用記録メディアなどを利用した店頭販売などのビジネスを構築することも可能である。
【０１７３】
≪実施例１１≫
【０１７４】
<概念>
【０１７５】
本実施例は、実施例９を基本として、実施例４と同様に、通過ポイント情報で示されるすべての通過ポイントを対象情報が通過した場合にのみ、対象情報に可能な処理を行うことを特徴とする。これによって、実施例４と同様に、より確実に対象情報であるコンテンツの著作権の管理、保護が可能となる。
【０１７６】
<構成>
【０１７７】
なお、本実施例の第一伝送履歴依存処理装置における機能ブロックは、実施例９で説明したものと同様であるので図示、説明ともに省略する。
【０１７８】
そして本実施例は、その特徴点として前記第二処理手順情報が、対象情報に対して可能な処理を実行するか実行しないかを第二伝送履歴情報に基づいて規定する。そして第二伝送履歴情報の中で対象情報に対して可能な処理を実行すると規定されるものは前記通過ポイントのすべてを対象情報が通過したことである点である。
【０１７９】
<処理の流れ>
【０１８０】
図１７に示すのは、本実施例における処理の流れの一例を示したフローチャートである。本実施例における処理の流れは、以下のステップからなる。まず、対象情報と、その対象情報と関連付けた第二伝送履歴情報を受信する（ステップＳ１７０１）。次に、前記ステップＳ１７０１において受信した第二伝送履歴情報を取得する（ステップＳ１７０２）。
【０１８１】
つづいて、通過ポイントのすべてを対象情報が通過したか否かの判断を行う（ステップＳ１７０３）。ここですべてを通過したと判断された場合、対象情報に対して可能な処理を実行する（ステップＳ１７０４）。
【０１８２】
一方、通過ポイントのすべてを対象情報が通過しなかったとの判断結果の場合、対象情報に対する可能な処理は実行されず、本処理の流れは終了する。
【０１８３】
<効果の簡単な説明>    
【０１８４】
以上のような本実施例の第二伝送履歴依存処理装置によって、より確実にコンテンツの著作権を保護することが可能になる。
【０１８５】
≪実施例１２≫
【０１８６】
<概念>
【０１８７】
本実施例は、実施例２を基本として、実施例５と同様に、通過ポイント情報で示される通過ポイントのいずれか一以上を対象情報が通過した場合に、対象情報に可能な処理を実行することを特徴とする。したがって、実施例５と同様に人気のあるコンテンツの場合など複数の中継サーバを用意しておき、そのいずれかを通過させる構成をとることで中継サーバの負荷を抑えることができる。
【０１８８】
<構成>
【０１８９】
なお、本実施例の第一伝送履歴依存処理装置における機能ブロックも、実施例８で説明したものと同様であるので図示、説明ともに省略する。
【０１９０】
そして本実施例は、その特徴点として前記第二処理手順情報が、対象情報に対して可能な処理を実行するか実行しないかを第二伝送履歴情報に基づいて規定する。そして第二伝送履歴情報の中で対象情報に対して可能な処理を実行すると規定されるものは前記通過ポイントのいずれか一以上を対象情報が通過したことである点である。
【０１９１】
<処理の流れ>
【０１９２】
図１８に示すのは、本実施例における処理の流れの一例を示したフローチャートである。本実施例における処理の流れは、以下のステップからなる。まず、対象情報と、その対象情報と関連付けた第二伝送履歴情報を受信する（ステップＳ１８０１）。次に、前記ステップＳ１８０１において受信した第二伝送履歴情報を取得する（ステップＳ１８０２）。
【０１９３】
つづいて、通過ポイントのいずれか一以上を対象情報が通過したか否かの判断を行う（ステップＳ１８０３）。ここでいずれか一以上を通過したと判断された場合、対象情報に対して可能な処理を実行する（ステップＳ１８０４）。
【０１９４】
一方、通過ポイントのいずれも対象情報が通過しなかったとの判断結果の場合、対象情報に対する可能な処理は実行されず、本処理の流れは終了する。
【０１９５】
<効果の簡単な説明>    
【０１９６】
以上のような本実施例の第二伝送履歴依存処理装置によって、通過ポイントの情報処理負荷や回線占有負荷を分散させることができる。
【０１９７】
≪実施例１３≫
【０１９８】
<概念>
【０１９９】
本実施例は、実施例１の第一伝送履歴依存処理装置および実施例８の第二伝送履歴依存処理装置の、双方の機能を備えた第三伝送履歴依存処理装置である。具体的には、ネットワーク上のコンテンツ配信を要求する要求情報と、その要求情報によって配信されるコンテンツ双方の伝送履歴に応じて要求情報やコンテンツの処理を行うことを特徴としている。この場合は、第三伝送履歴異存処理装置はコンテンツプロバイダとユーザの端末の双方に具備されることが想定される。また要求情報の伝送履歴に示される伝送経路とコンテンツ情報の伝送履歴に示される伝送経路は異なっていてもよい。具体的には、例えば、要求情報は端末αからインターネット内の中継サーバＢ１、課金サーバＣを経由してコンテンツプロバイダＡに送信される。一方、コンテンツである対象情報はコンテンツプロバイダからインターネット内のポータルサーバＰ、中継サーバＢ２を経由して端末αに配信されるといった具合である。これは、比較的データ量の少ない要求情報が携帯電話端末などのネットワークを通じて送信され、その要求情報によって容量の大きい音楽や動画データなどが、インターネットを通じて配信される場合などに適用されうる。
【０２００】
<構成>
【０２０１】
図１９に示すのは、本実施例の第三伝送履歴依存処理装置における機能ブロックの一例を表す図である。この図にあるように、本実施例の「第三伝送履歴依存処理装置」（１９００）は、「第三受信部」（１９０１）と、「第三伝送履歴情報取得部」（１９０２）と、「第三処理手順情報保持部」（１９０３）と、「第三処理部」（１９０４）と、からなる。
【０２０２】
なお、「第三受信部」（１９０１）は、要求情報と第一伝送履歴情報、および、対象情報と第二伝送履歴情報を受信するが、その機能などは実施例１や実施例８で説明した「第一受信部」や「第二受信部」と同様であるとしてその詳細な説明は省略する。
【０２０３】
「第三伝送履歴情報取得部」（１９０２）は、第一伝送履歴情報および第二伝送履歴情報を取得する以外、実施例１で説明した「第一伝送履歴情報取得部」や、実施例８で説明した「第二伝送履歴情報取得部」と同様であるのでその説明は省略する。
【０２０４】
「第三処理手順情報保持部」（１９０３）も、第一処理手順情報および第二処理手順情報を取得する以外、実施例１で説明した「第一伝送履歴情報取得部」や、実施例８で説明した「第二伝送履歴情報取得部」と同様であるのでその説明は省略する。
【０２０５】
「第三処理部」（１９０４）も、第一処理手順情報および第二処理手順情報にしたがって、要求情報および対象情報を処理すること以外、実施例１で説明した「第一処理部」や、実施例８で説明した「第二処理部」と同様であるので、その説明は省略する。
【０２０６】
<処理の流れ>
【０２０７】
図２０は、本実施例における処理の流れの一例を示したフローチャートである。本実施例における処理の流れは、以下のステップからなる。まず、要求情報とその要求情報と関連付けた第一伝送履歴情報、及び、対象情報とその対象情報と関連付けた第二伝送履歴情報とを受信する（ステップＳ２００１）。次に、前記ステップＳ２００１において受信した第一伝送履歴情報および第二伝送履歴情報を取得する（ステップＳ２００２）。最後に、予め保持されている第一処理手順情報および第二処理手順情報にしたがって、要求情報および対象情報を処理する（ステップＳ２００３）。
【０２０８】
<効果の簡単な説明>
【０２０９】
以上のように、本実施例の第三伝送履歴依存処理装置によって、要求情報と対象情報の双方の伝送履歴にしたがって適宜処理を行うことが可能になる。
【０２１０】
≪実施例１４≫
【０２１１】
<概念>
【０２１２】
本実施例は、実施例１３を基本として、実施例２や実施例９と同様に、第一伝送履歴情報および第二伝送履歴情報に、ポータルサーバや中継サーバなどの通過ポイントを示す情報が含まれることを特徴としている。したがって、実施例２や実施例９と同様に、本実施例によっても蜘蛛の巣状の巨大なネットワーク内を送受信される要求情報の伝送経路や対象情報の伝送経路を一つとみなし特定することができ、著作権保護などの効果を十分に奏することができる。
【０２１３】
<構成>
【０２１４】
図２１に示すのは、本実施例の第三伝送履歴依存処理装置における機能ブロックの一例を表す図である。この図にあるように、本実施例の「第三伝送履歴依存処理装置」（２１００）は、「第三受信部」（２１０１）と、「第三伝送履歴情報取得部」（２１０２）と、「第三処理手順情報保持部」（２１０３）と、「第三処理部」（２１０４）と、からなる。なお「第三受信部」と、「第三伝送履歴情報取得部」と「第三処理手順情報保持部」と「第三処理部」は、実施例１３とおおむね同様であるとしてその説明は省略する。
【０２１５】
そして本実施例の特徴点は、「第三受信部」で受信する第一伝送履歴情報および第二伝送履歴情報に通過ポイント情報が含まれる点であるが、「通過ポイント情報」については実施例２で説明済みであるのでその説明は省略する。
【０２１６】
<効果の簡単な説明>    
【０２１７】
以上のような本実施例の第三伝送履歴依存処理装置によって、実施例２や実施例９と同様、蜘蛛の巣状の巨大なネットワーク内を送受信される要求情報の伝送経路や対象情報の伝送経路を一つとみなし特定することができ、著作権保護などの効果を十分に奏することができる。
【０２１８】
≪実施例１５≫
【０２１９】
<概念>
【０２２０】
本実施例は、実施例１３または１４を基本として、実施例３や実施例１０と同様に、第一伝送履歴情報および第二伝送履歴情報に装置の種類や記録メディアの種類、ネットワーク媒体の種類などの伝送媒体の種類を示す情報が含まれていることを特徴としている。したがって、実施例３と同様に、このように伝送媒体種情報が伝送履歴に含まれることで、本実施例の第一伝送履歴依存処理装置は、例えば伝送媒体種情報で運営や製造主体を別とする処理を行えば、上記概念で説明したようにコンテンツの著作権保護と同時に顧客の囲い込みなども行いうる。
【０２２１】
また、実施例１０と同様に低速回線で配信された動画コンテンツは、大画面デジタルテレビなどの高品位出力端末における再生を不許可とするなどにより、著作権者の望まない形態でのコンテンツの処理などを防ぐことができる。
【０２２２】
<構成>
【０２２３】
図２２に示すのは、本実施例の第三伝送履歴依存処理装置における機能ブロックの一例を表す図である。この図にあるように、本実施例の「第三伝送履歴依存処理装置」（２２００）は、「第三受信部」（２２０１）と、「第三伝送履歴情報取得部」（２２０２）と、「第三処理手順情報保持部」（２２０３）と、「第三処理部」（２２０４）と、からなる。なお「第三受信部」と、「第三伝送履歴情報取得部」と「第三処理手順情報保持部」と「第三処理部」は、実施例１３で説明したものとおおむね同様であるとしてその説明は省略する。
【０２２４】
そして本実施例の特徴点は、「第三受信部」で受信する第一伝送履歴情報および第二伝送履歴情報に伝送媒体種情報が含まれる点であるが、「伝送媒体種情報」は、実施例３で説明済みであるのでその説明は省略する。
【０２２５】
<効果の簡単な説明>    
【０２２６】
以上のような本実施例の第三伝送履歴依存処理装置によって、例えば運営や製造主体を別とする処理を行えば、上記概念で説明したようにコンテンツの著作権保護と同時に顧客の囲い込みなども行いうる。またネットワーク媒体の種類に応じて要求情報に対する処理を行えば、携帯電話回線を示す情報が伝送履歴情報に含まれていた場合、処理にスペックを要する高画質動画は配信しない、などの第一処理手順情報に基づく処理を行うこともできる。また著作権者の意向に応じた形態でのコンテンツの処理を行うことができる。また専用記録メディアなどを利用した店頭販売などのビジネスを構築することも可能である。
【０２２７】
≪実施例１６≫
【０２２８】
<概念>
【０２２９】
本実施例は、実施例１４を基本として、実施例４や実施例１０と同様に、通過ポイント情報で示されるすべての通過ポイントを要求情報および対象情報が通過した場合にのみ、要求情報および対象情報に可能な処理を行うことを特徴とする。これによって、実施例４や実施例１０と同様に、より確実にコンテンツの著作権の管理、保護が可能となる。
【０２３０】
<構成>
【０２３１】
なお、本実施例の第一伝送履歴依存処理装置における機能ブロックは、実施例１４で説明したものと同様であるので図示、説明ともに省略する。
【０２３２】
そして本実施例は、その特徴点として前記第一処理手順情報および第二処理手順情報が、要求情報に示される電子的要求および対象情報に対して可能な処理を実行するか実行しないかを第一伝送履歴情報および第二伝送履歴情報に基づいて規定する。そして第一伝送履歴情報および第二伝送履歴情報の中で電子的要求および対象情報に対して可能な処理を実行すると規定されるものは前記通過ポイントのすべてを要求情報および対象情報が通過したことである点である。
【０２３３】
<処理の流れ>
【０２３４】
図２３に示すのは、本実施例における処理の流れの一例を示したフローチャートである。本実施例における処理の流れは、以下のステップからなる。まず、要求情報とその要求情報とを関連付けた第一伝送履歴情報、及び対象情報とその対象情報と関連付けた第二伝送履歴情報を受信する（ステップＳ２３０１）。次に、前記ステップＳ２３０１において受信した第一伝送履歴情報および第二伝送履歴情報を取得する（ステップＳ２３０２）。
【０２３５】
つづいて、通過ポイントのすべてを要求情報および対象情報が通過したか否かの判断を行う（ステップＳ２３０３）。ここですべてを通過したと判断された場合、要求情報に示される電子的要求、および対象情報に対して可能な処理を実行する（ステップＳ２３０４）。
【０２３６】
一方、通過ポイントのすべてを通過しなかったとの判断結果の場合、電子的要求や対象情報に対する可能な処理は実行されず、本処理の流れは終了する。
【０２３７】
<効果の簡単な説明>    
【０２３８】
以上のような本実施例の第三伝送履歴依存処理装置によって、より確実にコンテンツの著作権を保護することが可能になる。
【０２３９】
≪実施例１７≫
【０２４０】
<概念>
【０２４１】
本実施例は、実施例１４を基本として、実施例５と同様に、通過ポイント情報で示される通過ポイントのいずれか一以上を対象情報が通過した場合に、対象情報に可能な処理を実行することを特徴とする。したがって、実施例５と同様に人気のあるコンテンツの場合など複数の中継サーバを用意しておき、そのいずれかを通過させる構成をとることで中継サーバの負荷を抑えることができる。
【０２４２】
<構成>
【０２４３】
なお、本実施例の第三伝送履歴依存処理装置における機能ブロックも、実施例１４で説明したものと同様であるので図示、説明ともに省略する。
【０２４４】
そして本実施例は、その特徴点として前記第一処理手順情報および第二処理手順情報が、要求情報に示される電子的要求、および対象情報に対して可能な処理を実行するか実行しないかを第一伝送履歴情報および第二伝送履歴情報に基づいて規定する。そして第一伝送履歴情報および第二伝送履歴情報の中で要求情報に示される電子的要求、および対象情報に対して可能な処理を実行すると規定されるものは前記通過ポイントのいずれか一以上を要求情報および対象情報が通過したことである点である。
【０２４５】
<処理の流れ>
【０２４６】
図２４に示すのは、本実施例における処理の流れの一例を示したフローチャートである。本実施例における処理の流れは、以下のステップからなる。まず、要求情報とその要求情報とを関連付けた第一伝送履歴情報、及び対象情報とその対象情報と関連付けた第二伝送履歴情報を受信する（ステップＳ２４０１）。次に、前記ステップＳ２４０１において受信した第一伝送履歴情報および第二伝送履歴情報を取得する（ステップＳ２４０２）。
【０２４７】
つづいて、通過ポイントのいずれか一以上を要求情報および対象情報が通過したか否かの判断を行う（ステップＳ２４０３）。ここでいずれか一以上を通過したと判断された場合、要求情報に示される電子的要求、および対象情報に対して可能な処理を実行する（ステップＳ２４０４）。
【０２４８】
一方、通過ポイントのいずれも通過しなかったとの判断結果の場合、電子的要求や対象情報に対する可能な処理は実行されず、本処理の流れは終了する。
【０２４９】
<効果の簡単な説明>    
【０２５０】
以上のような本実施例の第二伝送履歴依存処理装置によって、通過ポイントの情報処理負荷や回線占有負荷を分散させることができる。
【０２５１】
≪実施例１８≫
【０２５２】
<概念及び構成>
【０２５３】
本実施例は、実施例１３ないし１７のいずれか一を基本として、実施例６と同様に前記要求情報が、コンテンツの配信要求を示す配信要求情報を含むことを特徴とする。したがって、本実施例の第三伝送履歴依存処理装置によっても、実施例６と同様に効果の高いコンテンツの著作権管理、保護に特化したビジネスの構築などが可能となる。
【０２５４】
なお、本実施例の第三伝送履歴依存処理装置における機能ブロックは、実施例１３などで説明したものと同様であるので図示、説明ともに省略する。
【０２５５】
<効果の簡単な説明>    
【０２５６】
以上のような本実施例の第三伝送履歴依存処理装置によって効果の高いコンテンツの著作権管理、保護に特化したビジネスの構築などが可能となる。
【０２５７】
≪実施例１９≫
【０２５８】
<概念及び構成>
【０２５９】
本実施例は、実施例１３ないし１７のいずれか一を基本として、実施例７と同様に前記要求情報が、コンテンツの再生を再生装置においてすることの要求を示す再生要求情報を含むことを特徴とする。このように、本実施例においても実施例７と同様にストリーミング配信などの形態で実施されているコンテンツの著作権管理、保護において活用可能である。
【０２６０】
なお、本実施例の第三伝送履歴依存処理装置における機能ブロックも、実施例１３などで説明したものと同様であるので図示、説明ともに省略する。
【０２６１】
<効果の簡単な説明>    
【０２６２】
以上のような本実施例の第三伝送履歴依存処理装置によって効果の高いコンテンツの著作権管理、保護、とりわけストリーミング配信されるコンテンツや暗号化された情報の著作権管理、保護に特化したビジネスの構築などが可能となる。
【０２６３】
≪実施例２０≫
【０２６４】
<概念>
【０２６５】
本実施例の装置は、実施例１３と類似している伝送履歴依存処理装置である。本実施例も実施例１３も、要求情報と対象情報とを処理する点では変わらない。ただし、本実施例では、「コンテンツ配信要求と、その要求に応じて配信されたコンテンツ」という具合に要求情報と対象情報が関係している点を特徴としている。そして、更なる相違点として第一処理手順情報と第二処理手順情報とを、それぞれ要求情報と対象情報を別にして処理を行うのではなく、第一処理手順情報と第二処理手順情報の双方を、要求情報または／及び対象情報に対する処理を行う点である。
【０２６６】
すなわち、第一処理手順情報では、「伝送の所要時間が所定時間以上かかっている場合、音声無のままテキストの字幕のみの映画データを再生する」ことを規定している。一方第二処理手順情報では、「認証サーバを通過している場合、再生装置における再生を許可する」ことを規定している。ここで、要求情報の伝送履歴情報で示される伝送の所要時間が所定時間異常かかっていることを示し、対象情報の伝送履歴情報が認証サーバを通過した正当にストリーミング配信された映画データであることを示している場合、対象情報である映画データに対し、第一処理手順情報で示される音声無の処理が行われ、第二処理手順情報で示される再生許可の処理が行われる、と言う具合である。
【０２６７】
<構成>
【０２６８】
本実施例の「第三伝送履歴依存処理装置」は、「第三受信部」と、「第三伝送履歴情報取得部」と、「第三処理手順情報保持部」と、「第三処理部」と、からなる。なお「第三受信部」と、「第三伝送履歴情報取得部」と「第三処理手順情報保持部」と「第三処理部」は、実施例１３とおおむね同様であるとしてその説明は省略する。
【０２６９】
そして本実施例の特徴点は、第三受信部で受信される対象情報が、要求情報に基づいて発生する処理の対象となる情報である点である。「発生」とは、取得、配信、生成など様々な形態が想定されうる。このように、要求情報と対象情報に関係性がある点を特徴としている。
【０２７０】
そして、概念で説明したように、第一伝送履歴情報及び前記第二伝送履歴情報に応じた要求情報又は／及び対象情報の処理を規定する第三処理手順情報にしたがって、要求情報及又は／及び対象情報を処理する。
【０２７１】
<効果の簡単な説明>
【０２７２】
以上のように、本実施例の伝送履歴依存処理装置によって、様々な伝送状態などの履歴情報に対応した処理を要求情報や対象情報に実施することができる。
【０２７３】
≪実施例２１≫
【０２７４】
<概念>
【０２７５】
本実施例の装置は、実施例２０と同様に要求情報と対象情報との関係性が強い点を特徴としている。しかし、実施例２０との相違点は、対象情報のみを処理対象としていることである。また、その対象情報に対する処理を規定する第四処理手順情報が、第一伝送履歴情報と第二伝送履歴情報の双方をその処理規定に含む点を特徴としている。
【０２７６】
本実施例の概念の一例は、要求情報の伝送履歴で示される伝送の所要時間と、対象情報の伝送履歴で示される伝送の所要時間とが同じ場合、他の第三者による対象情報や要求情報の盗み見や改竄が無かったと判断する。そこで第四処理手順情報として、「コンテンツに対するセキュリティ保証情報を付与する」などの新たな処理規定が生成され、当該処理が対象情報に対して行われる、という具合である。
【０２７７】
<構成>
【０２７８】
本実施例の「第四伝送履歴依存処理装置」は、「第四受信部」と、「第四伝送履歴情報取得部」と、「第四処理手順情報保持部」と、「第四処理部」と、からなる。なお「第四受信部」と、「第四伝送履歴情報取得部」と「第四処理手順情報保持部」と「第四処理部」は、実施例１３とおおむね同様であるとしてその詳細な説明は省略する。
【０２７９】
そして本実施例の特徴点は、第四受信部で受信される対象情報が、要求情報に基づいて発生する処理の対象となる情報である点と、要求情報の伝送履歴情報は取得されるが要求情報自体は取得されない点である。
【０２８０】
また、第四処理手順情報保持部では、前記第一伝送履歴情報及び前記第二伝送履歴情報に応じた対象情報の処理を規定する第四処理手順情報を保持する。この第四処理手順情報とは、例えば概念で説明したように、第一伝送履歴情報、または第二伝送履歴情報のどちらかに応じた規定ではなく、両者が同一の伝送の所要時間であればセキュリティ保証を行う、など第一伝送履歴情報および第二伝送履歴情報の双方をその規定に含んでいる。
【０２８１】
<効果の簡単な説明>
【０２８２】
以上のように、本実施例の伝送履歴依存処理装置によって、要求情報と対象情報の双方の伝送状態などの履歴情報に対応した処理を対象情報に実施することができる。
【図面の簡単な説明】
【０２８３】
【図１】実施例１の第一伝送履歴依存処理装置を利用したコンテンツ配信サービスの一例を表す図
【図２】実施例１の第一伝送履歴依存処理装置における機能ブロックの一例を表す図
【図３】実施例１の第一処理手順情報保持部において保持されている第一処理手順情報の一例を模式的に表す図
【図４】実施例１の処理部における第一処理手順情報と、要求情報及びその伝送履歴情報との比較による要求情報の処理の一例について説明するための図
【図５】実施例１における処理の流れの一例を表すフローチャート
【図６】実施例２の第一伝送履歴依存処理装置における機能ブロックの一例を表す図
【図７】実施例３の第一伝送履歴依存処理装置における機能ブロックの一例を表す図
【図８】実施例４の第一処理手順情報保持部に保持されている第一処理手順情報の一例を模式的に表す図
【図９】実施例４における処理の流れの一例を表すフローチャート
【図１０】実施例５の第一処理手順情報保持部に保持されている第一処理手順情報の一例を模式的に表す図
【図１１】実施例５における処理の流れの一例を表すフローチャート
【図１２】実施例８の第二伝送履歴依存処理装置を利用したコンテンツ配信サービスの一例を表す図
【図１３】実施例８の第二伝送履歴依存処理装置における機能ブロックの一例を表す図
【図１４】実施例８における処理の流れの一例を表すフローチャート
【図１５】実施例９の第二伝送履歴依存処理装置における機能ブロックの一例を表す図
【図１６】実施例１０の第二伝送履歴依存処理装置における機能ブロックの一例を表す図
【図１７】実施例１１における処理の流れの一例を表すフローチャート
【図１８】実施例１２における処理の流れの一例を表すフローチャート
【図１９】実施例１３の第三伝送履歴依存処理装置における機能ブロックの一例を表す図
【図２０】実施例１３における処理の流れの一例を表すフローチャート
【図２１】実施例１４の第三伝送履歴依存処理装置における機能ブロックの一例を表す図
【図２２】実施例１５の第三伝送履歴依存処理装置における機能ブロックの一例を表す図
【図２３】実施例１６における処理の流れの一例を表すフローチャート
【図２４】実施例１７における処理の流れの一例を表すフローチャート
【図２５】実施例１における要求情報の一例を説明するための図
【図２６】実施例２における第一伝送履歴情報の一例を説明するための図
【符号の説明】
【０２８４】
０２００  第一伝送履歴依存処理装置
０２０１  第一受信部
０２０２  第一伝送履歴情報取得部
０２０３  第一処理手順情報保持部
０２０４  第一処理部
【図１】
2006039791.tif 000003
【図２】
2006039791.tif 000004
【図３】
2006039791.tif 000005
【図４】
2006039791.tif 000006
【図５】
2006039791.tif 000007
【図６】
2006039791.tif 000008
【図７】
2006039791.tif 000009
【図８】
2006039791.tif 000010
【図９】
2006039791.tif 000011
【図１０】
2006039791.tif 000012
【図１１】
2006039791.tif 000013
【図１２】
2006039791.tif 000014
【図１３】
2006039791.tif 000015
【図１４】
2006039791.tif 000016
【図１５】
2006039791.tif 000017
【図１６】
2006039791.tif 000018
【図１７】
2006039791.tif 000019
【図１８】
2006039791.tif 000020
【図１９】
2006039791.tif 000021
【図２０】
2006039791.tif 000022
【図２１】
2006039791.tif 000023
【図２２】
2006039791.tif 000024
【図２３】
2006039791.tif 000025
【図２４】
2006039791.tif 000026
【図２５】
2006039791.tif 000027
【図２６】
2006039791.tif 000028